(57)【要約】  【課題】フレーム部材とコーナー部材とを強固に接続するとともに、これらの接続に用いたねじの頭部を隠蔽し見栄えを整える構成を、少ない部品点数で実現する。  【解決手段】それぞれ異なる方向へ延びる第１及び第２フレーム部材たる脚支柱３、横フレーム部材５、及び縦フレーム部材６を、第１フレーム部材たる脚支柱３に当接する第１当接面と、第２フレーム部材たる横フレーム部材５及び縦フレーム部材６に当接する第２当接面とを有するコーナー部材７を介して連結するものであって、脚支柱３をその長手方向に沿って引き寄せてこの脚支柱３の端面と前記第１当接面とを押し当てて保持する第１保持手段８と、横フレーム部材５及び縦フレーム部材６をその長手方向に沿って引き寄せてこれら横フレーム部材５及び縦フレーム部材６の端面と前記第２当接面とを押し当てて保持する第２保持手段９とを備えているとともに、前記第２保持手段９を外部空間から隠蔽される位置に形成している部材の連結構造を採用する。  【選択図】図８
2006105180.tif 000002
【特許請求の範囲】
【請求項１】
それぞれ異なる方向へ延びる第１及び第２フレーム部材を、第１フレーム部材に当接する第１当接面及び第２フレーム部材に当接する第２当接面を有する接続部材を介して連結するものであって、第１フレーム部材をその長手方向に略又は完全に沿って引き寄せて該第１フレーム部材の端面と前記第１当接面とを押し当てて保持する第１保持手段と、第２フレーム部材をその長手方向に略又は完全に沿って引き寄せて該第２フレーム部材の端面と前記第２当接面とを押し当てて保持する第２保持手段とを備えているとともに、前記第２保持手段を前記第１フレーム部材により外部空間から隠蔽される位置に形成していることを特徴とする部材の連結構造。
【請求項２】
それぞれ異なる方向へ延びる第１及び第２フレーム部材を、第１フレーム部材に取り付けられ該第１フレーム部材の長手方向に沿って移動可能な保持具と、前記第１フレーム部材に当接する第１当接面及び第２フレーム部材に当接する第２当接面を有する接続部材とを介して連結するものであって、前記保持具を引き寄せて該保持具と前記第１当接面との間で前記第１フレーム部材を挟持する第１保持手段と、第２フレーム部材をその長手方向に略又は完全に沿って引き寄せて該第２フレーム部材の端面と前記第２当接面とを押し当てて保持する第２保持手段とを備えているとともに、前記第２保持手段を前記第１フレーム部材及び前記保持具により外部空間から隠蔽される位置に形成していることを特徴とする部材の連結構造。
【請求項３】
前記接続部材に、前記第２フレーム部材を２つ連結していることを特徴とする請求項１又は2記載の部材の連結構造。
【請求項４】
前記第１保持手段と第２保持手段との少なくとも一方が、前記第１フレーム部材又は前記第２フレーム部材の長手方向に略又は完全に沿って螺着される雄ねじ部材を具備することを特徴とする請求項１、２又は３記載の部材の連結構造。
【請求項５】
前記第１フレーム部材又は前記第２フレーム部材の端面に、前記雄ねじ部材を螺着可能な雌ねじ部を形成していることを特徴とする請求項４記載の部材の連結構造。
【請求項６】
前記第１フレーム部材又は前記第２フレーム部材が、その長手寸法の全域にわたって同一の断面形状をなすとともに断面視中央部に円筒形をなす中心体を有し、前記中心体に前記雌ねじ部を形成していることを特徴とする請求項５記載の部材の連結構造。
【請求項７】
前記第１フレーム部材と第２フレーム部材との少なくとも一方を、押出し成形により形成していることを特徴とする請求項１、２、３、４、５又は６記載の部材の連結構造。
【請求項８】
天板付き家具の天板を支持する脚構造体に用いられるものであって、前記第１フレーム部材が鉛直方向に延伸し、前記第２フレーム部材が水平方向に延伸するとともに、前記接続部材を前記第１フレーム部材の上方に配置していることを特徴とする請求項１、２、３、４、５、６又は７記載の部材の連結構造。
【請求項９】
前記第１当接面と前記第１フレーム部材との間又は前記第２当接面と前記第２フレーム部材との間のうち少なくとも一方に、係合部と被係合部とを凹凸係合させてなる係合部を形成していることを特徴とする請求項１、２、３、４、５、６、７又は８記載の部材の連結構造。
【請求項１０】
前記第１保持手段と第２保持手段との少なくとも一方が、前記第１フレーム部材又は前記第２フレーム部材の長手方向に略沿って螺着される雄ねじ部材を具備するものであって、前記雄ねじ部材の延伸方向を前記第１フレーム部材又は前記第２フレーム部材の長手方向に対して傾斜させていることを特徴とする請求項９記載の部材の連結構造。
【請求項１１】
前記第１フレーム部材の一端部に、前記接続部材を略又は完全に隙間なく収納可能な接続部材取付空間を形成していることを特徴とする請求項１、２、３、４、５、６、７、８、９又は１０記載の部材の連結構造。
【請求項１２】
天板を脚構造体に支持させてなるものであって、前記脚構造体が、それぞれ異なる方向へ延びる第１及び第２フレーム部材を、第１フレーム部材に当接する第１当接面及び第２フレーム部材に当接する第２当接面を有する接続部材を介して連結する構成を有し、第１フレーム部材をその長手方向に略又は完全に沿って引き寄せて該第１フレーム部材の端面と前記第１当接面とを押し当てて保持する第１保持手段と、第２フレーム部材をその長手方向に略又は完全に沿って引き寄せて該第２フレーム部材の端面と前記第２当接面とを押し当てて保持する第２保持手段とを備えているとともに、前記第２保持手段を前記第１フレーム部材により外部空間から隠蔽される位置に形成し、前記第１保持手段を天板により外部空間から隠蔽される位置に形成していることを特徴とする天板付き家具。
【請求項１３】
前記第１フレーム部材が床面から起立する脚支柱であるとともに、前記第１保持手段が前記第１当接面たる接続部材の下向き当接面と前記脚支柱の上面とを、接続部材の上方から前記脚支柱に螺着されるねじ部材の緊締力により押し当てる構成を有することを特徴とする請求項１２記載の天板付き家具。
【請求項１４】
前記第２フレーム部材間に、該第２フレーム部材に取り付けられる保持具と、前記第２フレーム部材に当接する第１当接面及び第３フレーム部材に当接する第２当接面を有する第２接続部材とを介して第３フレーム部材を横架させて取り付け、前記第３フレーム部材にオプション部材を支持可能であるとともに、前記保持具を第３フレーム部材に向かう方向に略又は完全に沿って引き寄せて該保持具と前記第１当接面との間で前記第２フレーム部材を挟持する第３保持手段と、第３フレーム部材をその長手方向に沿って引き寄せて該第３フレーム部材の端面と前記第２当接面とを押し当てて保持する第４保持手段とを備え、前記第４保持手段を前記第２フレーム部材及び前記保持具により外部空間から隠蔽される位置に形成していることを特徴とする請求項１２又は１３記載の天板付き家具。
【請求項１５】
前記第３フレーム部材が、前記第２フレーム部材の長手方向に沿って移動可能であることを特徴とする請求項１４記載の天板付き家具。
【発明の詳細な説明】
【技術分野】
【０００１】
本発明は、複数のフレーム部材をコーナー部材を介して連結する部材の連結構造に関する。
【背景技術】
【０００２】
従来より、それぞれ異なる方向へ延びる複数のフレーム部材をコーナー部材を介して連結するための種々の構造が考えられてきている。一例として、コーナー部材が、互いに直交する３つの側面と、これら３つの側面により区画される開放空間とを有するものであって、前記３つの側面のうち少なくとも２つにフレーム部材を当接させるとともに３つの側面それぞれに取付孔を設け、前記取付孔にねじを挿通させ、挿通させたねじをフレーム部材に設けた雌ねじ孔に螺着させて、前記コーナー部材と２つないし３つのフレーム部材とを接続するものが挙げられる。（例えば特許文献１参照）。
【特許文献１】特許３４００５７３号公報
【発明の開示】
【発明が解決しようとする課題】
【０００３】
ところが、前記特許文献１の構成では、フレーム部材とコーナー部材とを接続した段階では、これらの接続に用いたねじの頭部が外部に露出したままであり、見栄えがよくないという問題がある。この問題を解決するには、フレーム部材及びコーナー部材とは別にカバー部材を用意する必要があり、製造コストがその分だけかさむ不具合が存在する。
【０００４】
本発明は、このような課題を解決すべく構成するものである。
【課題を解決するための手段】
【０００５】
すなわち、本発明に係る部材の連結構造は、それぞれ異なる方向へ延びる第１及び第２フレーム部材を、第１フレーム部材に当接する第１当接面及び第２フレーム部材に当接する第２当接面を有する接続部材を介して連結するものであって、第１フレーム部材をその長手方向に略又は完全に沿って引き寄せて該第１フレーム部材の端面と前記第１当接面とを押し当てて保持する第１保持手段と、第２フレーム部材をその長手方向に略又は完全に沿って引き寄せて該第２フレーム部材の端面と前記第２当接面とを押し当てて保持する第２保持手段とを備えているとともに、前記第２保持手段を前記第１フレーム部材により外部空間から隠蔽される位置に形成していることを特徴とする。
【０００６】
このようなものであれば、前記第１保持手段及び前記第２保持手段により第１フレーム部材及び第２フレーム部材を接続部材に引き寄せて強固に接続できるとともに、前記第２保持手段を、特別なカバー部材を用意することなく前記第１フレーム部材により隠蔽しているので、少ない部品点数で見栄えと取付強度との両立を図ることができる。
【０００７】
また、オプション部材を位置変更可能に取り付ける態様において好適に用いられる構成として、それぞれ異なる方向へ延びる第１及び第２フレーム部材を、第１フレーム部材に取り付けられ該第１フレーム部材の長手方向に沿って移動可能な保持具と、前記第１フレーム部材に当接する第１当接面及び第２フレーム部材に当接する第２当接面を有する接続部材とを介して連結するものであって、前記保持具を引き寄せて該保持具と前記第１当接面との間で前記第１フレーム部材を挟持する第１保持手段と、第２フレーム部材をその長手方向に略又は完全に沿って引き寄せて該第２フレーム部材の端面と前記第２当接面とを押し当てて保持する第２保持手段とを備えているとともに、前記第２保持手段を前記第１フレーム部材及び前記保持具により外部空間から隠蔽される位置に形成しているものが挙げられる。
【０００８】
このようなものであれば、第２フレーム部材にオプション部材を取り付けることにより、オプション部材を安定して取り付けられるようにできるとともに、前記第２保持手段を前記第１フレーム部材及び前記保持具により外部空間から隠蔽される位置に形成することによる少ない部品点数で見栄えと取付強度との両立を図ることができる効果を実現できる。
【０００９】
３つのフレーム部材を接続部材を介して連結できるようにするには、前記接続部材に、前記第２フレーム部材を２つ連結するようにすればよい。
【００１０】
このような部材の連結構造を簡単に実現できる態様として、前記第１保持手段と第２保持手段との少なくとも一方が、前記第１フレーム部材又は前記第２フレーム部材の長手方向に略又は完全に沿って螺着される雄ねじ部材を具備するものが挙げられる。
【００１１】
特に、前記第１フレーム部材又は前記第２フレーム部材の端面に、前記雄ねじ部材を螺着可能な雌ねじ部を形成しているものであれば、特別な雌ねじ部材を用意する必要がなくなるので、製造コストを低減することができる。
【００１２】
さらなる製造コストの低減を図るための態様として、前記第１フレーム部材又は前記第２フレーム部材が、その長手寸法の全域にわたって同一の断面形状をなすとともに断面視中央部に円筒形をなす中心体を有し、前記中心体に前記雌ねじ部を形成しているものが挙げられる。このようなものであれば、前記中心体にタッピング加工等により前記雌ねじ部を形成することにより、第１保持部又は第２保持部を形成できるので、工数を削減できるからである。
【００１３】
前記第１フレーム部材と第２フレーム部材との少なくとも一方を、押出し成形により形成しているものであれば、切断により形成された部材の両端面をそのまま接続部材に当接させる端面とすることができるので、少ない工数でこのようなフレーム部材を形成でき、製造コストの低減を図ることができる。
【００１４】
このような部材の連結構造を好適に実現できるものとして、天板付き家具の天板を支持する脚構造体に用いられるものであって、前記第１フレーム部材が鉛直方向に延伸し、前記第２フレーム部材が水平方向に延伸するとともに、前記接続部材を前記第１フレーム部材の上方に配置しているものが挙げられる。このようなものであれば、前記第２保持手段を天板付き家具の天板により隠蔽できるので、天板付き家具全体としての見栄えをより少ない部品点数で整えることができる。
【００１５】
接続部材の前記第１フレーム部材又は前記第２フレーム部材に対する位置決めを容易に行えるようにするための態様として、前記第１当接面と前記第１フレーム部材との間又は前記第２当接面と前記第２フレーム部材との間のうち少なくとも一方に、係合部と被係合部とを凹凸係合させてなる係合部を形成しているものが挙げられる。このようなものであれば、前記係合部を係合させることにより位置決めを容易に行えるようになるからである。
【００１６】
特に、前段に述べた構成に加えて、前記第１保持手段と第２保持手段との少なくとも一方が、前記第１フレーム部材又は前記第２フレーム部材の長手方向に略沿って螺着される雄ねじ部材を具備するものであって、前記雄ねじ部材の延伸方向を前記第１フレーム部材又は前記第２フレーム部材の長手方向に対して傾斜させているものであれば、前記雄ねじ部材を螺着することにより得られる緊締力を利用して前記係合部と前記被係合部とを密着させ、接続部材と前記第１フレーム部材又は前記第２フレーム部材とを面一にできるとともに、さらに安定して接続部材と前記第１フレーム部材又は前記第２フレーム部材とを接続できる。
【００１７】
接続部材の前記第１フレーム部材に対する位置決めを容易に行えるようにするためには、前記第１フレーム部材の一端部に、前記接続部材を略又は完全に隙間なく収納可能な接続部材取付空間を形成するようにしてもよい。
【００１８】
上述した部材の連結構造に係る効果を好適に実現できるものとして、天板を脚構造体に支持させてなるものであって、前記脚支持体が、それぞれ異なる方向へ延びる第１及び第２フレーム部材を、第１フレーム部材に当接する第１当接面及び第２フレーム部材に当接する第２当接面を有する接続部材を介して連結する構成を有し、第１フレーム部材をその長手方向に略又は完全に沿って引き寄せて該第１フレーム部材の端面と前記第１当接面とを押し当てて保持する第１保持手段と、第２フレーム部材をその長手方向に略又は完全に沿って引き寄せて該第２フレーム部材の端面と前記第２当接面とを押し当てて保持する第２保持手段とを備えているとともに、前記第２保持手段を前記第１フレーム部材により外部空間から隠蔽される位置に形成し、前記第１保持手段を天板により外部空間から隠蔽される位置に形成していることを特徴とする天板付き家具が挙げられる。
【００１９】
このような天板付き家具を具体的に実現するための態様としては、前記第１フレーム部材が床面から起立する脚支柱であるとともに、前記第１保持手段が前記第１当接面たる接続部材の下向き当接面と前記脚支柱の上面とを、接続部材の上方から前記脚支柱に螺着されるねじ部材の緊締力により押し当てる構成を有するものが挙げられる。
【００２０】
また、このような天板付き家具にオプション部材を取り付ける際に、取付強度と見栄えとを少ない部品点数で両立可能にする態様として、前記第２フレーム部材間に、該第２フレーム部材に取り付けられる保持具と、前記第２フレーム部材に当接する第１当接面及び第３フレーム部材に当接する第２当接面を有する第２接続部材とを介して第３フレーム部材を横架させて取り付け、前記第３フレーム部材にオプション部材を支持可能であるとともに、前記保持具を第３フレーム部材に向かう方向に略又は完全に沿って引き寄せて該保持具と前記第１当接面との間で前記第２フレーム部材を挟持する第３保持手段と、第３フレーム部材をその長手方向に沿って引き寄せて該第３フレーム部材の端面と前記第２当接面とを押し当てて保持する第４保持手段とを備え、前記第４保持手段を前記第２フレーム部材及び前記保持具により外部空間から隠蔽される位置に形成しているものが挙げられる。
【００２１】
特に、前記第３フレーム部材が、前記第２フレーム部材の長手方向に沿って移動可能であれば、この第３フレーム部材に支持されるオプション部材の位置もまた移動可能となるので、より幅広い使用態様に対応することができる。
【発明の効果】
【００２２】
第２フレーム部材を前記第２当接面に当接させた状態に保持する第２保持手段が、特別なカバー部材を用意することなく第１フレーム部材により隠蔽されるので、少ない部品点数で見栄えと取付強度との両立を図ることができる。
【発明を実施するための最良の形態】
【００２３】
以下、本発明の一実施形態について図面を参照して説明する。
【００２４】
この実施形態に係る部材の連結構造は、図１に全体斜視図、図２に分解斜視図、図３に図２の要部を拡大して示した図をそれぞれ示すような天板付き家具Ｔの脚構造体２に用いられる。
【００２５】
前記天板付き家具Ｔは、天板１を脚構造体２に支持させてなるものであって、本実施形態ではさらに脚構造体２にオプション部材を取付可能に構成している。
【００２６】
前記天板１は、略矩形板状をなし、下方から前記脚構造体２に支持させてなる。
【００２７】
前記脚構造体２は、床面から起立してなる４本の第１フレーム部材たる脚支柱３と、この脚支柱３に支持され上面に天板１を載置してなる天板受部４とを備えている。
【００２８】
前記脚支柱３は、アルミ押出し成形により形成され、長手寸法の略全域にわたって同一の断面形状を有する。具体的には、図４に斜視図、図５の（ａ）に平面図、同図の（ｂ）に正面図、同図の（ｃ）に側面図をそれぞれ示すように、この脚支柱３の外面を形成し、横断面視正方形状の周壁部３１と、横断面視中央部に位置し、円筒状をなす中心体３２と、横断面視前記周壁部３１の対角線に沿う方向に前記周壁部３１から内方に向けて突出して設けられ前記周壁部３１及び中心体３２を接続するリブ３３とを有する。そして、上端面の中央部には、後述する第１保持手段８を構成する雌ねじ部３ａを形成している。この雌ねじ部３ａは、前記中心体３２の内面をタッピング加工することにより形成している。すなわち、この雌ねじ部３ａは、前記脚支柱３の長手方向に延伸している。さらに、この脚支柱３の上端部は、天板付き家具Ｔの外方に向く面を有する外周壁を、他の部分よりもよりも前記横フレーム部材５の一辺の長さよりは短い所定の寸法だけ上方に突出させている。そして、前記外周壁が上方に突出している部分により区画される領域に、接続部材取付空間たるコーナー部材取付空間３ｓを形成している。
【００２９】
前記天板受部４は、その上方に天板１を載置し該天板を下方から支持するものであり、天板１の長手方向に延伸する第２フレーム部材たる横フレーム部材５と、天板１の短辺方向に延伸する第２フレーム部材たる縦フレーム部材６と、これら横フレーム部材５及び縦フレーム部材６を接続する接続部材たるコーナー部材７とを備えている。
【００３０】
前記横フレーム部材５及び縦フレーム部材６は、アルミ押出し成形により形成され、長手寸法の略全域にわたって同一の断面形状を有する。具体的には、これら横フレーム部材５及び縦フレーム部材６の外面を形成する周壁部５１、６１と、縦断面視中央部に位置し、円筒状をなす中心体５２、６２と、前記周壁部５１、６１及び中心体５２、６２を接続するリブ５３、６３とをそれぞれ有する。なお、前記「縦断面視中央部」とは、横フレーム部材５又は縦フレーム部材６を長手方向に直交する垂直面に沿って切断した面の中央部を示す。さらに本実施形態では、前記周壁部の内面にスリット５ｓ、６ｓを設けているとともに、このスリット５ｓ、６ｓと前記中心体５２、６２との間に目隠し板部５４、６４を形成している。そして、両端面の中央部には、後述する第２保持手段９を構成する雌ねじ部５ａ、６ａを形成している。この雌ねじ部５ａ、６ａは、前記中心体５２、６２の内面をタッピング加工することにより形成している。すなわち、この雌ねじ部５ａ、６ａは、それぞれ前記横フレーム部材５及び縦フレーム部材６の長手方向に延伸している。さらに、これら横フレーム部材５及び縦フレーム部材６の端面は、押出し成形の際の切断面をそのまま使用している。
【００３１】
前記コーナー部材７は、図６、図７、及び図８に示すように、前記コーナー部材取付空間３ｓに配置される本体７１と、前記本体７１の上方に連接され、前記脚支柱３の横断面と同一の巾寸法及び奥行き寸法を有する鍔部７２とを一体に有する。
【００３２】
前記本体７１は、前記横フレーム５の端面に当接可能な第２当接面たる横当接面７ｂ及び前記縦フレーム６の端面に当接可能な第２当接面たる縦当接面７ｃを有する。横当接面７ｂには幅方向に水平ねじ挿通孔７ｂ１を貫通させて設けている。また、縦当接面７ｃには奥行き方向に水平ねじ挿通孔７ｃ１を貫通させて設けている。さらに、前記脚支柱３に当接する面、すなわち横当接面７ｂ及び縦当接面７ｃと反対側の面から水平ねじ挿通孔７ｂ１、７ｃ１に沿う方向に、有底でねじ部材の頭部を挿入可能な座繰り穴７ｂ２、７ｃ２をそれぞれ設けている。これら座繰り穴７ｂ２、７ｃ２の底は、ねじ部材相互の干渉を避けるべく平面視中央よりも横当接面７ｂ寄り及び縦当接面７ｃ寄りに配置している。すなわち本実施形態では、これら座繰り穴７ｂ２、７ｃ２は交差している。また、底部には前記脚支柱３のリブ３３及び中心体３２の形状に対応する形状の溝部７ｍを設けていて、この溝部７ｍと前記脚支柱３のリブ３３及び中心体３２とを係合させることにより位置決めを行うようにしている。
【００３３】
一方、前記鍔部７２は、脚支柱３の上面に当接可能な第１当接面たる下向き当接面７ａを有するとともに、その中央部から鉛直方向に貫通する鉛直ねじ挿通孔７ａ１及び有底でねじ部材の頭部を挿入可能な座繰り穴７ａ２を設けている。
【００３４】
しかして本実施形態では、第２保持手段９を介して前記横フレーム部材５及び前記縦フレーム部材６を前記コーナー部材７に接続して横当接面７ｂ及び縦当接面７ｃにそれぞれ当接させた状態に保持し、前記コーナー部材７の開放空間７ｓ内に前記脚支柱３を位置させて第１保持手段８により前記下向き当接面７ａに脚支柱３を当接させた状態に保持しているとともに、前記第２保持手段９が前記脚支柱３により隠蔽されるようにしている。
【００３５】
具体的には、前記図２、及びその要部を拡大した図である図９に示すように、前記水平ねじ挿通孔７２ａに、第２保持手段９を構成する雄ねじ部材９１を挿通させ、この雄ねじ部材９１を前記横フレーム部材５の雌ねじ部５ａ及び前記縦フレーム部材６の雌ねじ部６ａにそれぞれ螺着させて、緊締力により雄ねじ部材９１の頭部９１１と前記横フレーム部材５の端面との間、及び雄ねじ部材９１の頭部９１１と前記縦フレーム部材６の端面との間に前記コーナー部材７を挟持させるようにしている。このとき、雄ねじ部材９１の頭部９１１は、前記座繰り穴７２ｂに収納するようにしている。
【００３６】
そして、前記下向き当接面７ａを脚支柱３の上端に当接させ、前記横フレーム部材５の端面、前記縦フレーム部材６の端面、及び前記外周壁が上方に突出している部分により前記雄ねじ部材９１の頭部９１１を隠蔽し、この状態で上方から第１保持手段８を構成する雄ねじ部材８１を、同じく第１保持手段８を構成する脚支柱３の雌ねじ孔３ａに螺着し、脚支柱３、横フレーム部材５、及び縦フレーム部材６を、前記コーナー部材７を介して接続するようにしている。
【００３７】
本実施形態では、以上に述べたように、前記第２保持手段９を、前記脚支柱３により隠蔽することにより、特別なカバー部材を用意することなく、見栄えを整えつつ、脚支柱３、横フレーム部材５、及び縦フレーム部材６を、前記コーナー部材７を介して強固に接続することができる。
【００３８】
特に本実施形態では、前記コーナー部材７を脚支柱３の上方に位置させているので、前記コーナー部材７と脚支柱３とを接続する前記第１保持手段８をも天板１により隠蔽することができ、より効果的に見栄えを整えることができる。
【００３９】
さらに、前記第１保持手段８が前記脚支柱３の長手方向に沿って該脚支柱３の雌ねじ部３ａに螺着される雄ねじ部材８１、前記第２保持手段９が前記横フレーム部材５及び縦フレーム部材６の長手方向に沿って該前記横フレーム部材５及び縦フレーム部材６の雌ねじ部５ａ、６ａに螺着される雄ねじ部材９１を具備するので、簡単な構成でこれら横フレーム部材５、縦フレーム部材６、及びコーナー部材７を強固に接続できる。
【００４０】
また、前記脚支柱３に前記雄ねじ部材８１を螺着可能な雌ねじ部３ａを形成しているとともに、該前記横フレーム部材５及び縦フレーム部材６に前記雄ねじ部材９１を螺着可能な雌ねじ部５ａ、６ａを形成しているので、特別な雌ねじ部材を用意することなく前記第１保持手段８及び前記第２保持手段９を形成でき、製造コストを低減することができる。
【００４１】
特に、前記脚支柱３、前記横フレーム部材５及び前記縦フレーム部材６の雌ねじ部３ａ、５ａ、６ａを、それぞれの中心体３２、５２、６２にタッピング加工により形成しているので、少ない工数で雌ねじ部３ａ、５ａ、６ａを形成でき、製造コストをさらに低減することができる。
【００４２】
加えて、前記横フレーム部材５及び縦フレーム部材６を押出し成形により形成し、押出し成形の際の切断面をそのままこれら横フレーム部材５及び縦フレーム部材６の端面として使用しているので、少ない工数でこのような部材の連結構造を実現できる。
【００４３】
なお、本発明は以上に述べた実施形態に限られない。
【００４４】
例えば、門形の脚構造体を左右一対に形成する態様において、前記脚構造体を前後１対に設けた第１フレーム部材たる脚支柱と、脚支柱の上端間を接続する第２フレーム部材たる横架材と、これら脚支柱及び横架材を接続するコーナー部材とを備えるものとし、これらの接続に上述したような部材の連結構造を採用してもよい。
【００４５】
さらに、第１及び第２フレーム部材は、押出し成形以外の方法で形成されたものでのよい。また、雌ねじ部はタッピング以外の方法、例えばナット部材を溶接等により取り付ける方法で形成してもよい。
【００４６】
加えて、図１０に斜視図、図１１の（ａ）に平面図、同図の（ｂ）に正面図、同図の（ｃ）に側面図、同図の（ｄ）に底面図、図１２に図１１の（ｂ）におけるＢ−Ｂ断面の取付状態における図をそれぞれ示すように、コーナー部材に、横フレーム部材５及び縦フレーム部材６の被係合部たる中空部に係合可能な係合部たる凸部７３を横当接面７ｂ及び縦当接面７ｃから突出させて設けてもよい。このようにすれば、前記凸部７３と前記横フレーム部材５及び縦フレーム部材６との摩擦により、コーナー部材と第１及び第２フレーム部材との離間を効果的に防ぐことができるとともに、前記凸部７３と前記中空部とが係合することにより前記横フレーム部材５及び縦フレーム部材６の回転してしまうことを防ぐことができる。
【００４７】
また、図１３に分解斜視図を示すように、押出し成形の際の切断面を脚支柱３の上端面とし、脚支柱３と横フレーム部材５との間、及び脚支柱３と縦フレーム部材６との間でコーナー部材７０を挟持するようにする態様も考えられる。この態様におけるコーナー部材７０は、図１４の（ａ）に平面図、同図の（ｂ）に正面図、図１５に図１４におけるａ−ａ断面図、図１６に図１４におけるｂ−ｂ断面図をそれぞれ示すように、脚支柱３の上端面に載置される平板部７０１と、この平板部７０１の一端縁から垂下して設けられ、横フレーム部材５に当接する横当接面７０ｂを有する第１垂下部７０２と、この平板部７０１の前記一端縁と隣接する端縁から垂下して設けられ、縦フレーム部材６に当接する縦当接面７０ｃを有する第２垂下部７０３とを具備する。そして、平板部７０１、第１垂下部７０２、及び第２垂下部７０３にはそれぞれ雄ねじ部材８１、９１を挿通可能なねじ挿通孔７０ａ１、７０ｂ１、７０ｃ１を形成しているとともに、平板部７０１の上面側には雄ねじ部材８１の頭部８１１を収納可能な座繰り穴７０ａ２、第１垂下部７０２の横当接面７０ｂと反対側の面には雄ねじ部材９１の頭部９１１を収納可能な座繰り穴７０ｂ２、第２垂下部７０３の縦当接面７０ｃと反対側の面には雄ねじ部材９１の頭部９１１を収納可能な座繰り穴７０ｃ２をそれぞれ形成している。このように形成したコーナー部材７０を用いても、前記雄ねじ部材９１を横フレーム部材５及び縦フレーム部材６の雌ねじ部５ａ、６ａに螺着し、その頭部９１１を座繰り穴７０ｂ２、７０ｃ２に収納することにより、コーナー部材７０を横フレーム部材５及び縦フレーム部材６に接続する第２保持手段を脚支柱３により外部から隠蔽できる。また、この態様を採用すれば、第１フレーム部材たる脚支柱の上面も、押出し成形の際の切断面をそのまま利用することができる。なお、この態様において、横当接面７０ｂ及び縦当接面７０ｃの一方又は双方に横フレーム部材５又は縦フレーム部材６の凹部に係合可能な凸部を設けてももちろんよい。
【００４８】
さらに、図１７に全体斜視図を示すようなオプション部材Ｐの取り付けに本発明を適用してもよい。
【００４９】
前記オプション部材Ｐは、下端部を構成するオプション取付具Ｐ２と、このオプション取付具Ｐ２を利用して取り付けられるオプション部材本体たるカウンター天板Ｐ１とを具備してなる。本態様では、オプション取付具Ｐ２の他の一部を第３フレーム部材たる補強ビームＰ５にねじｖ３を用いてねじ止め固定し、オプション取付具Ｐ２の一部を、当該一部にねじ込んだねじｖ２の押し付け力を利用して反使用端側の横フレーム部材５に締め付け固定するようにしている。
【００５０】
カウンター天板Ｐ１は、天板１の反使用端側の縁部近傍より上方に起立して配置される左右一対の支柱Ｐ３の上端部に取り付けられているもので、支柱Ｐ３の下端側の内部にはナットＰ３aが収容してある。また、支柱Ｐ３の前面側には、上端部に前記カウンター天板Ｐ１の他の部位を取り付けた補助支柱Ｐ４が一体的に設けてあり、この補助支柱Ｐ４の下端側にもナットＰ４ａが収容してある。なお、前記図１７において符号ＰＰで示すものは、左右の支柱Ｐ３間に配置された目隠しパネルである。
【００５１】
また、オプション取付具Ｐ２は、図１９に示すように、対向片たる上片Ｐ２a及び下片Ｐ２ｂと、これら上下片Ｐ２ａ、Ｐ２ｂ間を連結する側片Ｐ２ｃとを具備し、上片Ｐ２ａ、下片Ｐ２ｂ及び側片Ｐ２ｃの間にチャネル部Ｐ２ｘを形成してなるもので、チャネル部Ｐ２ｘの上下内法寸法を反使用端側の横フレーム部材５の上下寸法よりも若干大きい値に設定するとともに、上片Ｐ２ａは下片Ｐ２ｂよりも長尺で肉厚方向に貫通する対をなす段付きのねじ通過孔Ｐ２ｄ及び下端側に開口するねじ孔Ｐ２ｅを有するのもにし、下片Ｐ２ｂは肉厚方向に貫通する対をなすねじ孔Ｐ２ｆを有するものにしている。
【００５２】
そして、予め上片Ｐ２ａのねじ通過孔Ｐ２ｄに雄ねじ部材ｖ３を通過させ、その雄ねじ部材ｖ３を、上片Ｐ２ａ上に立設した支柱Ｐ３及び補助支柱Ｐ４のナットＰ３ａ、Ｐ４ａにねじ止めするとともに、この状態で上片Ｐ２ａを天板３と反使用端側の横フレーム部材５との隙間から天板下空間に挿入して先端を補強ビームＰ５の上面に対向する部位に位置づけ、かつチャネル部Ｐ２ｘを反使用端側の横フレーム部材５を抱え込む位置に位置づける。そして、下方から補強ビームＰ５に挿入した雄ねじ部材ｖ３を上片Ｐ２ａのねじ孔Ｐ２ｅにねじ止めし、また下方から下片Ｐ２ｂの雌ねじ孔Ｐ２ｆにねじ込んだ雄ねじ部材ｖ２の先端を反使用端側の横フレーム部材５とオプション取付具Ｐ２との間に介在させたアングル金具Ｐ７を介して反使用端側の横フレーム部材５の底壁に押し付け、これにより雄ねじ部材ｖ２と上片Ｐ２ａとで該チャネル部Ｐ２ｘを反使用端側の横フレーム部材５に締め付け固定するようにしている。
【００５３】
前記補強ビームＰ５は、例えば、図１８に要部の分解斜視図、図１９に要部の横断面図をそれぞれ示すように、上述した前後の横フレーム部材５のスリット５ｓに挿入した保持具Ｐ６１、及びこの保持具Ｐ６１と前記補強ビームＰ５との間に介在させた接続部材Ｐ６２を介して使用端側及び反使用端側の横フレーム部材５にそれぞれ接続し、これら横フレーム部材５、５間に横架させ、該横フレーム部材５の長手方向に移動可能に設けている。
【００５４】
この態様において、前記保持具Ｐ６１は、前記スリット５ｓと前記目隠し板５４との間に挿入可能な鍔部Ｐ６１１を有する。一方、前記接続部材Ｐ６２は、図２０に示すように、前記横フレーム部材５の端面に当接する第１当接面Ｐ６２ａと、前記補強ビームＰ５に当接する第２当接面Ｐ６２ｂとを有する。さらに、前記接続部材Ｐ６２の長手方向中央部からは、前記第１当接面Ｐ６２ａに向かい下方に傾斜しつつ延伸する有底の第１座繰り穴Ｐ６２ａ２を設けているとともに、この第１座繰り穴Ｐ６２ａ２の底からさらに第１当接面Ｐ６２ａ側に貫通する第１ねじ挿通孔Ｐ６２ａ１を設けている。そして、前記第１座繰り穴Ｐ６２ａ２と、前記第１ねじ挿通孔Ｐ６２ａ１と、前記保持具Ｐ６１に形成した雌ねじ部Ｐ６１ａと、前記第１座繰り穴Ｐ６２ａ２及び前記第１ねじ挿通孔Ｐ６２ａ１に順次挿通させ前記雌ねじ部Ｐ６１ａに螺着してなる雄ねじ部材ｖ８とを利用して、前記第１当接面Ｐ６２ａと前記保持具Ｐ６１との間で前記横フレーム部材５を挟持する第３保持手段Ｐ８を形成している。一方、前記第１当接面Ｐ６２ａからは、前後方向に水平に延伸する有底の第２座繰り穴Ｐ６２ｂ２を設けているとともに、この第２座繰り穴Ｐ６２ｂ２の底からさらに第２当接面Ｐ６２ｂ側に貫通する第２ねじ挿通孔Ｐ６２ｂ１を設けている。そして、これら第２座繰り穴Ｐ６２ｂ２、第２ねじ挿通孔Ｐ６２ｂ１、前記補強ビームＰ５に形成した雌ねじ部Ｐ５ａ、及び前記第２ねじ挿通孔Ｐ６２ｂ１に挿通させ前記雌ねじ部Ｐ５ａに螺着される雄ねじ部材ｖ９を利用して、この接続部材Ｐ６２に前記補強ビームＰ５を保持させる第４保持手段Ｐ９を形成している。なお、前記図２０において、（ａ）は前記接続部材Ｐ６２の平面図、（ｂ）は同正面図、（ｃ）は同側面図、（ｄ）は同背面図である。
【００５５】
このような構成であれば、前記第２保持手段Ｐ９は、前記横フレーム部材５及び前記保持具Ｐ６１により外部空間から隠蔽される。また、前記第１保持手段Ｐ８は、このような補強ビームＰ５の上方に天板１を配置した状態において外部空間から隠蔽される。
【００５６】
さらに、前述した横フレーム部材５と補強ビームＰ５との接続態様は、一方向に延伸するフレーム部材の両端以外の箇所に、保持具及び接続部材を介して他方向に延伸するフレーム部材を接続する箇所一般に用いてよい。
【００５７】
加えて、第２保持手段が第２フレーム部材を引き寄せる方向を、第２フレーム部材の延伸方向に対して傾斜させる態様も考えられる。例えば、鉛直に起立し、上述した実施形態における脚支柱３と同様の断面形状を有する第１フレーム部材Ｘ１の上端部に、第１保持手段Ｘ４を介して、図２１の（ａ）に正面図、同図の（ｂ）に底面図をそれぞれ示すような接続部材Ｘ３を接続するとともに、この接続部材Ｘ３に、第２保持手段Ｘ５を介して、図２２に断面形状を示すような水平に延伸する第２フレーム部材Ｘ２を接続する以下に述べるような態様が考えられる。
【００５８】
前記接続部材Ｘ３は、その底面に第１の凸部Ｘ３１、Ｘ３２、Ｘ３３を形成していて、この第１の凸部Ｘ３１、Ｘ３２、Ｘ３３を第１フレーム部材Ｘ１の中空部Ｘ１ｓに挿入して第１フレーム部材Ｘ１に対する位置決めを行うことができるようにしている。また、その一側面には係合部たる第２の凸部Ｘ３４を形成していて、この第２の凸部Ｘ３４を被係合部たる第２フレーム部材Ｘ２の中空部Ｘ２ｓに挿入して第２フレーム部材Ｘ２に対する位置決めを行うことができるようにしている。また、前記第１フレーム部材Ｘ１の上端部にはこの接続部材Ｘ３を挿入可能な接続部材取付空間（図示略）を形成しているとともに、この接続部材Ｘ３には第１フレーム部材Ｘ１の上端面Ｘ１ａに当接可能な鍔部Ｘ３ｔを形成している。
【００５９】
しかして、この態様では、縦断面図を図２３に示すように、第２保持手段Ｘ５は、第２の雄ねじ部材Ｘ５１を上方に向けて傾斜した状態で雌ねじ孔Ｘ５ａに螺着し、前記雄ねじ部材Ｘ５１の頭部Ｘ５１１を前記接続部材Ｘ３の第２座繰り部Ｘ３ｄに当接させた状態で第２フレーム部材Ｘ２の端面Ｘ２ａに前記接続部材Ｘ３の第２当接面たる一側面Ｘ３ｂを押し当てるとともに前記第２の凸部Ｘ３４を前記第２フレーム部材Ｘ２の中空部Ｘ２ｓの上面Ｘ２ｓ１に押し当てて保持するようにしている。より具体的には、前記雌ねじ孔Ｘ５ａを有するとともに、この雌ねじ孔Ｘ５ａの傾斜を変更可能な雌ねじ部材Ｘ５２を第２フレーム部材Ｘ２に形成した雌ねじ部材取付孔Ｘ２ｈに挿入して取り付けるようにし、前記雄ねじ部材Ｘ５１をこの雌ねじ部材Ｘ５２の雌ねじ孔Ｘ５ａに螺着するようにしている。ここで、前記雌ねじ部材Ｘ５２の正面図を図２４の（ａ）、側面図を同図の（ｂ）、中央縦断面図を同図の（ｃ）にそれぞれ示す。そして、第１保持手段Ｘ４は、雄ねじ部材Ｘ４１を第１フレーム部材Ｘ１に形成した雌ねじ孔Ｘ１ａに螺着し、前記雄ねじ部材Ｘ４１の頭部Ｘ４１１を前記接続部材Ｘ３の第１座繰り部Ｘ３ｃに当接させた状態で第１フレーム部材Ｘ１の端面Ｘ１ａに前記接続部材Ｘ３の第１当接面たる一側面Ｘ３ａを押し当てるようにしている。このように構成すれば、前記凸部Ｘ３４の上面をも第２フレーム部材Ｘ２に押し当てることにより、接続部材Ｘ３の上面と第２フレーム部材Ｘ２の上面とを面一にできるとともに、これら接続部材Ｘ３と第２フレーム部材Ｘ２とをさらに安定して接続できる。そして、このような構成であっても、第２保持手段Ｘ５を第１フレーム部材Ｘ１により隠蔽可能であり、第１保持手段Ｘ４は図２３に想像線で示すような天板Ｘ９により隠蔽可能であるので、上述した実施形態における主要な効果を得ることができる。なお、鉛直に起立する第１フレーム部材に水平方向に延伸する２つの第２フレーム部材を接続する際に同様の構成を利用してももちろんよい。
【００６０】
その他、本発明の趣旨を損ねない範囲で種々に変形してよい。
【図面の簡単な説明】
【００６１】
【図１】本発明の一実施形態に係る部材の連結構造を用いた天板付き家具を示す斜視図。
【図２】同実施形態に係る部材の連結構造を用いた天板付き家具を示す分解斜視図。
【図３】図２の要部を拡大して示した図。
【図４】同実施形態に係る部材の連結構造を用いた天板付き家具の脚支柱を示す斜視図。
【図５】同実施形態に係る部材の連結構造を用いた天板付き家具の脚支柱を示す平面図、正面図、及び側面図。
【図６】同実施形態に係る部材の連結構造を用いた天板付き家具のコーナー部材を示す斜視図。
【図７】同実施形態に係る部材の連結構造を用いた天板付き家具のコーナー部材を示す正面図、平面図、側面図、及び底面図。
【図８】図７におけるＡ−Ａ断面図。
【図９】図７におけるＢ−Ｂ断面図。
【図１０】本発明の他の実施形態に係る部材の連結構造を用いた天板付き家具のコーナー部材を示す斜視図。
【図１１】同実施形態に係る部材の連結構造を用いた天板付き家具のコーナー部材を示す平面図、正面図、側面図、及び底面図。
【図１２】図１１におけるＢ−Ｂ断面図。
【図１３】本発明の他の実施形態に係る部材の連結構造を用いた天板付き家具の要部の分解斜視図。
【図１４】同実施形態に係る部材の連結構造を用いた天板付き家具のコーナー部材を示す平面図及び正面図。
【図１５】図１４におけるＡ−Ａ断面図。
【図１６】図１４におけるＢ−Ｂ断面図。
【図１７】本発明の他の実施形態に係る部材の連結構造を用いた天板付き家具の全体斜視図。
【図１８】同実施形態に係る部材の連結構造を用いた天板付き家具の要部の分解斜視図。
【図１９】同実施形態に係る部材の連結構造を用いた天板付き家具の要部の中央横断面図。
【図２０】同実施形態に係る部材の連結構造を用いた天板付き家具の接続部材の平面図、正面図、側面図、及び背面図。
【図２１】本発明の他の実施形態に係る部材の連結構造に用いられる接続部材の正面図及び底面図。
【図２２】同実施形態に係る部材の連結構造に用いられる第２フレーム部材の断面図。
【図２３】同実施形態に係る部材の連結構造を用いた天板付き家具の要部の縦断面図。
【図２４】同実施形態に係る部材の連結構造に用いられる雌ねじ部材の正面図、側面図、及び中央縦断面図。
【符号の説明】
【００６２】
Ｔ…天板付き家具
２…脚構造体
３…脚支柱（第１フレーム部材）
５…横フレーム部材（第２フレーム部材）
６…縦フレーム部材（第２フレーム部材）
３ａ、５ａ、６ａ…雌ねじ部
７、７０…コーナー部材（接続部材）
７ａ、７０ａ…下向き当接面（第１当接面）
７ｂ、７０ｂ…横当接面（第２当接面）
７ｃ、７０ｃ…縦当接面（第２当接面）
８…第１保持手段
９…第２保持手段
Ｐ５…補強ビーム（第３フレーム部材）
Ｐ６１…保持具
Ｐ６２…接続部材
Ｐ８…第３保持手段
Ｐ９…第４保持手段
８１、９１…雄ねじ部材
【図１】
2006105180.tif 000003
【図２】
2006105180.tif 000004
【図３】
2006105180.tif 000005
【図４】
2006105180.tif 000006
【図５】
2006105180.tif 000007
【図６】
2006105180.tif 000008
【図７】
2006105180.tif 000009
【図８】
2006105180.tif 000010
【図９】
2006105180.tif 000011
【図１０】
2006105180.tif 000012
【図１１】
2006105180.tif 000013
【図１２】
2006105180.tif 000014
【図１３】
2006105180.tif 000015
【図１４】
2006105180.tif 000016
【図１５】
2006105180.tif 000017
【図１６】
2006105180.tif 000018
【図１７】
2006105180.tif 000019
【図１８】
2006105180.tif 000020
【図１９】
2006105180.tif 000021
【図２０】
2006105180.tif 000022
【図２１】
2006105180.tif 000023
【図２２】
2006105180.tif 000024
【図２３】
2006105180.tif 000025
【図２４】
2006105180.tif 000026